(57)【要約】【課題】ＲＯＡＤＭシステムにおいて、光送受信器とＲＯＡＤＭスイッチの接続関係を瞬時に検査できるようにする。【解決手段】複数の入出力ポートを有するＲＯＡＤＭスイッチにおいて、入出力ポートの任意の入力側から入力された光信号の任意の波長成分を当該入出力ポートの識別パターンで変調し、折り返し光として入出力ポートの出力側に出力する。また、光信号をＲＯＡＤＭスイッチに送信した光送受信器において、折り返し光を受信して識別パターンを検出する接続検出部を設け、当該光送受信器が接続したＲＯＡＤＭスイッチ及びその入出力ポートを判定する。【選択図】図４
2013046166.tif 000002
【特許請求の範囲】
【請求項１】
複数の入出力ポートと、任意の入出力ポートの入力ポートから入力された光信号の任意の波長成分を当該入出力ポートの識別パターンに応じて変調する光変調器と、当該光変調器で変調された光信号を折り返し光として前記入力ポートと一対の出力ポートに折り返す光折返し部とを有するＲＯＡＤＭスイッチと、
前記入出力ポートに前記光信号を送信する光送信器と、前記折り返し光を受信する光受信器と、前記折り返し光から前記の光変調器による変調成分を検出して前記識別パターンを検出する接続検出部とを有する光送受信器と
を有すること特徴とする光伝送装置。
【請求項２】
請求項１に記載の光伝送装置において、
各送受信器の接続状態を表示する表示装置
を有することを特徴とする光伝送装置。
【請求項３】
請求項１に記載の光伝送装置において、
前記光送受信器は、当該光送受信器の接続状態に基づく情報を表示する表示部
を有することを特徴とする光伝送装置。
【請求項４】
請求項１に記載の光伝送装置において、
光伝送路及び/又は他のＲＯＡＤＭスイッチが接続される前記ＲＯＡＤＭスイッチの出力ポートから出力される光信号を波長成分に分解して観測し、一定時間全く観測されない波長を非運用波長として判別する光波長モニタを有し、前記光折返し部において前記非運用波長のみを折り返す
ことを特徴とする光伝送装置。
【請求項５】
請求項１に記載の光伝送装置において、
前記光変調器は光減衰器であり、前記変調が強度変調である
ことを特徴とする光伝送装置。
【請求項６】
請求項５に記載の光伝送装置において、
前記強度変調がオンオフ変調であり、前記接続検出部が前記光受信器において検出される信号消失情報から前記識別パターンを検出する
ことを特徴とする光伝送装置。
【請求項７】
請求項１に記載の光伝送装置において、
前記上りの光伝送路への出力を波長成分に分解して観測する光波長モニタと、
前記光波長モニタにおいて一定時間全く観測されない波長を非運用波長として判別する管理システムと
を有することを特徴とする光伝送装置。
【請求項８】
請求項１に記載の光伝送装置において、
前記光折返し部は、
前記上りの光伝送路への出力を分岐する光分岐部と、
前記光分岐部で分岐された出力の一方を入力し、光波長可変フィルタで非運用波長のみを切り出すフィルタ部と、
前記フィルタ部により切り出された非運用波長を下りの光伝送路に結合する光結合部と
を有することを特徴とする光伝送装置。
【請求項９】
請求項８に記載の光伝送装置において、
前記上りの光伝送路に接続された第１の波長選択スイッチと、
前記下りの光伝送路に接続された第２の波長選択スイッチと
を有することを特徴とする光伝送装置。
【請求項１０】
請求項８に記載の光伝送装置において、
前記上りの光伝送路に接続された第１の波長選択スイッチと、前記下りの光伝送路に接続された第２の波長選択スイッチのいずれか一方を光カプラで置換した構成を有する
ことを特徴とする光伝送装置。
【請求項１１】
請求項８に記載の光伝送装置において、
前記入出力ポートの識別パターンが、ＲＯＡＤＭスイッチが設置されたノード又は当該ＲＯＡＤＭスイッチの識別子を含み、
前記光送受信器の前記接続検出部は、他のノード又は当該ＲＯＡＤＭスイッチを示す識別パターンが検出されている間、当該光送受信器が送信する光信号を消光する
ことを特徴とする光伝送装置。
【請求項１２】
請求項１に記載の光伝送装置において、
前記光送受信器の光送信器は、前記光送受信器の識別情報を光信号に載せて出力し、前記光送受信器の光受信器は、受信された光信号に載せられている前記光送受信器の識別情報を検出し、受信された光信号が前記光受信器と同一の光送受信器内の前記光送信器から送信された光信号であれば、前記接続検出部を用いてＲＯＡＤＭスイッチとの接続状態を検出し、受信された光信号が前記光送信器から送信された光信号でなければ、警報を発出する
ことを特徴とする光伝送装置。
【発明の詳細な説明】
【技術分野】
【０００１】
本発明は、光送受信器と波長選択スイッチの接続関係を検査可能な光伝送装置に関する。
【背景技術】
【０００２】
都市部・都市間の光コアネットワークの構築には、ＲＯＡＤＭ（Reconfigurable Optical Add/Drop Multiplexer）システムが用いられる。ＲＯＡＤＭシステムにおいては、離れた地点にある複数のノードが光伝送路を介して互いに接続され、各ノードにおいて光信号の経路が波長単位で切り換えられる。
【０００３】
図１に、ＲＯＡＤＭシステムのノードを構築する光伝送装置の構成例を示す。図１の場合、ノード１は、３つの光伝送路対２１〜２３を介し、別の３つのノードと接続されている。これら３つの光伝送路対２１〜２３のそれぞれは、上りと下りに対応する２本の光伝送路で構成される。
【０００４】
ノード１内には、複数の入出力ポートをもつ３つのＲＯＡＤＭスイッチ３１〜３３があり、前述した光伝送路対２１〜２３のそれぞれに接続される。３つのＲＯＡＤＭスイッチ３１〜３３の構成は同じである。ただし、接続される光伝送路対や光送受信器の数に応じて入出力ポート数は同じとは限らない。
【０００５】
一例として、光伝送路対２１と接続されたＲＯＡＤＭスイッチ３１の構成を説明する。ＲＯＡＤＭスイッチ３１には、複数の入出力ポート２０１〜２０５が設けられている。入出力ポート２０１には光伝送路対２１、入出力ポート２０２には光送受信器５１、入出力ポート２０３には光送受信器５４、入出力ポート２０４には別のＲＯＡＤＭスイッチ３２、入出力ポート２０５には別のＲＯＡＤＭスイッチ３３が接続される。ＲＯＡＤＭスイッチ３３を介すことなく、入出力ポート２０５に光伝送路対２３が接続される場合もある。
【０００６】
ＲＯＡＤＭスイッチ３１は、入力された光信号の出力先（出力ポート）を波長単位で切り換えることができる。これにより、ＲＯＡＤＭスイッチ３１は、光伝送路対２１、光送受信器５１及び５４、他のＲＯＡＤＭスイッチ３２及び３３の間で、光信号を波長単位で自由に送受することができる。ただし、ＲＯＡＤＭスイッチ３１の内部構成によっては、光送受信器や他のＲＯＡＤＭスイッチの接続数に制限があり、経路選択の自由度が限定されることがある。
【０００７】
ＲＯＡＤＭスイッチの１つの入出力ポートには複数の光送受信器が接続されることもある。例えば図１の場合、ＲＯＡＤＭスイッチ３２の入出力ポート２０６には、波長合分波器４１を介し、複数の光送受信器５７、５８が接続されている。波長合分波器４１は、複数の光送受信器５７、５８が出力する互いに異なる波長の光信号を合波してＲＯＡＤＭスイッチ３２の入出力ポート２０６に出力する波長合波器４２と、ＲＯＡＤＭスイッチ３２の入出力ポート２０６が出力する光信号を波長成分に分波して複数の光送受信器５７、５８に出力する波長分波器４３とで構成される。
【０００８】
図２に、ＲＯＡＤＭスイッチ３１の機能を示す内部ブロック図を示す。図２には、図１との対応部分に同一符号を付して表している。入出力ポート２０３、２０４の構成は、入出力ポート２０２、２０５と同じである。このため、図２においては、入出力ポート２０３、２０４を省略している。ＲＯＡＤＭスイッチ３１の入出力ポート２０１、２０２及び２０５は、それぞれ入力ポート１０１、１０３、１０９と出力ポート１０２、１０４、１１０とで構成される。
【０００９】
ＲＯＡＤＭスイッチ３１は、入力ポート１０３から入力される光信号を波長成分に分波する波長分波器７１と、分波した波長成分を個別に減衰させる光減衰器７３と、減衰された波長成分の出力先をＲＯＡＤＭスイッチ３１が有する全出力ポート１０２、１０４、１１０のいずれかに切り換える光スイッチ７４と、光スイッチ７４を介して出力ポート１０４に出力される光信号を波長多重する波長合波器７２とを有する。
【００１０】
他の入力ポート１０１、１０９も、前述した波長分波器７１と光減衰器７３と同等の機能ブロックを介して光スイッチ７４に接続される。他の出力ポート１０２、１１０も、前述した波長合波器７２と同等の機能ブロックを介して光スイッチ７４に接続される。
【００１１】
これら光減衰器７３における各減衰量や光スイッチ７４の切り換えは、ＲＯＡＤＭスイッチ３１に接続されるＲＯＡＤＭ制御部９１により制御される。この構成により、全入力ポート１０１、１０３、１０９と全出力ポート１０２、１０４、１１０の間の接続が波長ごとに任意に選択され、図１に示すノード１において、光信号の透過、挿入、分岐が可能となる。なお、実際のＲＯＡＤＭスイッチ３１には、光伝送路やＲＯＡＤＭスイッチ内の損失を補償するための光増幅器が適宜挿入される。図２においては、煩雑さを避けるため、光増幅器の描画は省略する。
【００１２】
図２に示すＲＯＡＤＭスイッチ３１の機能は、複数の入出力ポートを有する多対多の波長選択スイッチ（ＷＳＳ：Wavelength Selective Switch）と同等であり、多対多のＷＳＳを用いて容易に構築することができる。しかし、多対多のＷＳＳは構造が複雑である。このため、小規模なＷＳＳと光カプラによって構成したＲＯＡＤＭスイッチが用いられる場合がある。このＲＯＡＤＭスイッチの一例を図３に示す。図３には、図１及び図２との対応部分に同一符号を付して表している。
【００１３】
図３に示すＲＯＡＤＭスイッチ３１は、上りの光伝送路１１に接続される多対１のＷＳＳ８２と下りの光伝送路１２に接続される１対多の光カプラ８３で構成される。この多対１のＷＳＳ８２は、入力ポート１０３、１０９から入力された光信号の強度を波長ごとに調整し、入力ポート１０３、１０９から入力された全ての光信号の任意の波長成分を合波し、出力ポート１０２を介して上りの光伝送路１１に出力する。
【００１４】
また、１対多の光カプラ８３は、入力ポート１０１を介して下りの光伝送路１２から入力された光信号を分岐し、出力ポート１０４、１１０に出力する。図３に示すＲＯＡＤＭスイッチ３１の構成は、図２に示すＲＯＡＤＭスイッチ３１の構成に比べ、一部の入出力ポート間の経路が省略されている。例えば入力ポート１０１と出力ポート１０２の間、入力ポート１０３と出力ポート１０４、１１０の間には経路が存在せず、その分、スイッチ構成が簡略化されている。
【００１５】
ところで、一般的なＲＯＡＤＭシステムにおいては、１つのＲＯＡＤＭスイッチに対し、最大で１００近くもの光送受信器が接続される。しかし、その接続作業は、作業者の手作業による。具体的には、作業者が、ＲＯＡＤＭスイッチに対して光送受信器を１つずつ接続する。このため、ＲＯＡＤＭスイッチに誤った光送受信器を接続してしまう可能性がある。
【００１６】
例えばＲＯＡＤＭスイッチのある入出力ポートにおいて、他のどの入出力ポートにも結合されない波長がある場合、誤ってその波長の光送受信器を当該入出力ポートに接続したとしても、信号は導通しない。この接続を、本明細書では、「波長誤接続」と呼ぶ。また例えば、一つのノードにおいて、別のＲＯＡＤＭスイッチに接続される同じ波長の光送受信器が２台ある場合、これらを互い違いに接続したとしても、各光送受信器は、期待する通信先を得ることができない。この接続を、本明細書では、「ＲＯＡＤＭスイッチ誤接続」と呼ぶ。
【００１７】
ＲＯＡＤＭシステムにおいて、これらの誤接続を防止するには、光送受信器とＲＯＡＤＭスイッチの接続関係を把握することが重要な課題となる。
【先行技術文献】
【特許文献】
【００１８】
【特許文献１】特開２００６−７４０９８号公報
【特許文献２】特開２００９−３１２７７８号公報
【発明の概要】
【発明が解決しようとする課題】
【００１９】
波長誤接続の解決手法は、特許文献１に示されている。特許文献１には、波長合波用のアレイ導波路回折格子（ＡＷＧ：Arrayed Waveguide Gratings）における波長誤接続の検出方法が示されている。具体的には、ＡＷＧの全ての入力ポートに光モニタを挿入し、出力ポートに光波長モニタを挿入し、入出力の有無の比較により波長誤接続を検出する構成が示されている。この手法は、ＡＷＧに誤った波長の光信号を入力しても、その光信号がＡＷＧから出力されないことを利用する。
【００２０】
この手法を適用すれば、ＲＯＡＤＭスイッチにおいても、波長誤接続を検出することができる。具体的には、ＲＯＡＤＭスイッチが有する、各入出力ポートに任意の波長選択性を設定できる機能を利用する。例えば光送受信器を接続する入出力ポートの通過波長を１つの波長に設定し、通過した光信号の波長を波長モニタで検出すれば、ＡＷＧの場合と同様、波長誤接続を検出することができる。なお、複数の光送受信器を、光カプラやＡＷＧを通じて１つに束ねてＲＯＡＤＭスイッチと接続する場合には、光送受信器を接続する入出力ポートにも波長モニタを挿入すればよい。
【００２１】
しかし、この方法は、ＲＯＡＤＭスイッチ側で１つの入出力ポートに接続された複数の光送受信器を区別することができない。このため、波長誤接続のあった光送受信器を特定することが難しい。特に、同一波長を使用する光送受信器の誤接続を検出することは難しい。
【００２２】
この課題に対し、ルータと光伝送装置の間に光クロスコネクト装置を挿入した光伝送システムにおいて、光クロスコネクト装置に接続された光伝送装置を識別する方法が特許文献２に示されている。その方法は、光伝送装置の光送信器から光クロスコネクト装置に送信される光信号のオンオフパターンに光伝送装置の識別情報を含め、光クロスコネクト装置の入力ポートに挿入された光パワーモニタでこの光信号を受信することにより、光クロスコネクト装置に接続された光伝送装置の識別を可能にする。
【００２３】
この方法をＲＯＡＤＭシステムに適用する場合、光送受信器からＲＯＡＤＭスイッチに送信される光信号のオンオフパターンに光送受信器の識別情報を含め、この光信号をＲＯＡＤＭスイッチの入力ポートに挿入された光パワーモニタにより受信する構成を採る。この構成により、ＲＯＡＤＭスイッチが接続された光送受信器を個別に識別することができる。
【００２４】
しかし、この場合、存在する膨大な数の光送受信器を識別しなければならず、多くの識別パターンが必要となる。例えば１０万台の光送受信器を識別する必要がある場合、１７ビット以上の識別パターンが必要となる。また、通常の光パワーモニタは、波長多重信号を波長成分ごとに分解して観測することができない。このため、ＲＯＡＤＭスイッチの入力ポートに波長多重信号が入力される場合、光送受信器と光パワーモニタをうまく連携させて光送受信器を１台ずつ検査する必要がある。そのため、全ての光送受信器の接続を識別するのに時間がかかるという課題が残る。例えば光送受信器の管理総数を１０万台、最大波長数を１００波、識別パターンによる光信号のオンオフ周期を２０ミリ秒とすると、識別に要する時間は３０秒以上となる。
【００２５】
本発明者は、当該技術課題を鋭意検討し、その結果、ＲＯＡＤＭシステムにおいて、光送受信器とＲＯＡＤＭスイッチの接続関係を瞬時に検査可能な光伝送装置を発明するに至った。
【課題を解決するための手段】
【００２６】
本発明にかかる光伝送装置には、任意の入出力ポートの入力ポートから入力された光信号の任意の波長成分を、当該入出力ポートを識別可能な識別パターンで変調し、変調された光信号を折り返し光として当該入出力ポートの出力ポートに折り返す機能を有するＲＯＡＤＭスイッチと、入出力ポートから受信した折り返し光の識別パターンを検出する光送受信器とを配置する。
【発明の効果】
【００２７】
本発明によれば、光送受信器とＲＯＡＤＭスイッチの接続関係を検査することができる。しかも、本発明は、同時かつ一括に波長多重信号を識別することができる。このため、接続関係を瞬時に検査することができる。例えば光送受信器の管理総数を１０万台、最大波長数を１００波、ノード内のＲＯＡＤＭスイッチの最大数を９、入出力ポート識別パターンによる光信号の変調周期を２０ミリ秒とする場合でも、本発明によれば、識別に要する時間を１００ミリ秒以下に抑えることができる。上記した以外の課題、構成及び効果は、以下の実施形態の説明により明らかにされる。
【図面の簡単な説明】
【００２８】
【図１】ノードを構築する光伝送装置の構成を示す図（従来例）。
【図２】ＲＯＡＤＭスイッチの機能ブロック構成を示す図（従来例）。
【図３】ＲＯＡＤＭスイッチの機能ブロック構成を示す図（従来例）。
【図４】本発明に係る光伝送装置の第１の形態例を示す図。
【図５】本発明に係る光伝送装置における管理システムが表示する接続管理画面例を示す図。
【図６】本発明に係る光伝送装置の第２の形態例を示す図。
【図７】本発明に係る光伝送装置の第３の形態例を示す図。
【発明を実施するための形態】
【００２９】
以下、図面を参照し、本発明に係る光伝送装置と、波長選択スイッチの接続検査方法の形態例を詳細に説明する。なお、本発明の実施態様は、後述する形態例に限定されるものではなく、その技術思想の範囲において、種々の変形が可能である。
【００３０】
＜形態例１＞
図４は、ＲＯＡＤＭ伝送システムの光伝送装置において、本発明を適用する場合の第１の形態例を示す。図４は、光伝送装置の機能ブロック構成を表している。図４には、図１と対応する部分に同一符号を付して表している。
【００３１】
光伝送装置には、ＲＯＡＤＭスイッチの制御状況、光送受信器とＲＯＡＤＭスイッチの接続状況、ＲＯＡＤＭスイッチの制御状況、運用波長情報を管理する管理システム９６が備えられる。この管理システム９６には、管理情報を表示する機能があっても良い。管理情報は、例えば管理システム９６又は同システムに接続された表示装置に表示される。
【００３２】
管理システム９６が表示する管理画面として、ノードA、B、Cが直列接続されたネットワークにおける管理画面の一例を図５に示す。図５の管理画面には、ＲＯＡＤＭスイッチの制御状況と、光送受信器とＲＯＡＤＭスイッチの接続状況が示され、波長誤接続やＲＯＡＤＭスイッチ誤接続があれば、警報が表示される。警報には「!」と「!!」の２種類があり、それぞれ波長誤接続、ＲＯＡＤＭスイッチ誤接続に対応する。
【００３３】
光送受信器５１及び５４並びにＲＯＡＤＭスイッチ３２及び３３は、ＲＯＡＤＭスイッチ３１を介し、１対の光伝送路１１及び１２からなる光伝送路対２１と接続される。上りの光伝送路１１には光信号の波長成分を観測する光波長モニタ９２が設けられる。光波長モニタ９２は、光信号に含まれる波長成分の有無に基づいて、非運用中の波長チャネルを特定する。
【００３４】
ＲＯＡＤＭスイッチ３１には多対多のＷＳＳが用いられる。ＲＯＡＤＭスイッチ３１は、光伝送路１２及び１１が接続される入出力ポート１０１及び１０２、光送受信器が接続される入出力ポート１０３〜１０６、並びに他のＲＯＡＤＭスイッチ３２及び３３が接続される入出力ポート１０７〜１１０との間で、入出力ポート間の結合を波長単位で切り換える。また、ＷＳＳの種類にもよるが、例えばＬＣＯＳ（Liquid Crystal On Silicon）のＷＳＳを用いれば、波長単位で光パワーを調整することもできる。これら入出力ポートの切り替えと光パワーの調整は、ＲＯＡＤＭ制御部９１により制御される。
【００３５】
このＲＯＡＤＭ制御部９１が、光送受信器が接続される全ての入力ポート１０３及び１０５から入力される光信号から非運用中の波長チャネルを取り出す機能と、ＲＯＡＤＭスイッチ３１と各入出力ポート１０３、１０４及び１０５、１０６の識別情報に基づいてこれらの光信号をオンオフ変調し、それぞれと対をなす出力ポート１０４、１０６に折り返すよう、ＲＯＡＤＭスイッチ３１を制御する機能とを提供する。ＲＯＡＤＭ制御部９１は、前述した光波長モニタ９２又は管理システム９６から非運用中の波長チャネル情報を参照する。なお、光信号がデータ変調のために強度変調方式を用いている場合、前述したオンオフ変調は、データ変調と区別するためにデータ伝送速度よりも十分低速であることが望ましい。
【００３６】
ＲＯＡＤＭスイッチ３１に接続する光送受信器５１、５４は、光信号を送信する光送信器５２及び５５、光信号を受信する光受信器５３及び５６、並びに接続検出部６１及び６２を有する。接続検出部６１及び６２は、光受信器５３及び５６で観測されるＬＯＳ（信号消失）情報から受信した光信号のオンオフ変調成分を検出し、光送受信器５１及び５４が接続されたＲＯＡＤＭスイッチ３１とその入出力ポート１０３、１０４、１０５及び１０６を識別する。識別された接続情報は、管理システム９６に集約され、モニタなどの表示装置に表示される。もしくは、各光送受信器に表示部を設け、識別された接続情報に基づく警報を当該表示部に表示させてもよい。
【００３７】
この光信号の折り返し機能の搭載により、光送受信器の接続時に、接続検出部６１及び６２は、ただちに接続先のＲＯＡＤＭスイッチとその入出力ポートを識別できるようになる。例えば非運用波長の光送受信器を接続した場合、接続検出部６１及び６２は、ＲＯＡＤＭスイッチで折り返された光信号から接続先の入出力ポートを識別できる。
【００３８】
また、光送受信器５４の波長を、誤って光送受信器５１と同じ波長に設定した場合、ＲＯＡＤＭスイッチ３１の入出力ポート２０３が当該波長を運用波長として遮断する。このため、光送受信器５４の光送信器５５からＲＯＡＤＭスイッチ３１に入力された光信号は、入出力ポート２０３に折り返されることはない。このため、接続検出部６１及び６２は、誤接続を検出することができる。
【００３９】
また、光送受信器５８の波長を誤って光送受信器５７と同じ波長に設定した場合、波長合分波器４１の波長選択性により光送受信器５８の光信号が遮断され、光信号が折り返されない。このため、光送受信器５８の接続検出部は、誤接続を検出することができる。
【００４０】
なお、波長合分波器４１として波長選択性のない光カプラが用いられる場合でも、光送受信器５７、５８の波長が同一であることに起因する誤接続を検出することができる。波長合波器４２が光カプラの場合、光送受信器５８の波長が誤って光送受信器５７と同一であると、光送受信器５７及び５８の光信号が互いに干渉したままＲＯＡＤＭスイッチ３２に入力される。そのため、各光送受信器５７及び５８の双方には光強度がふらついた干渉光が折り返される。この場合、各光送受信器５７及び５８は折り返された干渉光からＲＯＡＤＭスイッチと各入出力ポートの識別情報を復調することができない。このため、接続に問題があることを検出できる。
【００４１】
なお、光波長モニタ９２による波長チャネルの運用判定は、例えば、接続検出のための光信号のオンオフパターンよりも長い時間における光パワーの平均値がある閾値を下回らないか否かにより判定することができる。
【００４２】
本形態例の説明においては、ＲＯＡＤＭスイッチ３１に多対多のＷＳＳを用いた。しかしながら、本発明の実施形態は、多対多のＷＳＳに限定されるものではない。例えば多対１のＷＳＳと１対多のＷＳＳを組み合わせて用いても多対多と同等の機能を得ることができる。また、接続検出のための光信号のオンオフ変調は、位相や周波数の変調や、光信号に加える雑音光のオンオフによる光信号対雑音比の変調など他の変調方式を利用することができる。ただし、その場合、光送受信器５１及び５４の接続検出部６１及び６２は、これらの変調を検出する機能に置き換える必要がある。
【００４３】
なお、ＲＯＡＤＭスイッチ３１の光送受信器を接続する各入出力ポート１０３〜１０６に光波長多重信号が入出力されない場合（すなわち、各入出力ポート１０３〜１０６に１台の光送受信器しか接続されないという制約がある場合）、各入出力ポート１０３〜１０６に入力される光信号を波長成分に分割せずにオンオフ変調し、各入力ポートに１０３及び１０５に対応する出力ポート１０４及び１０６に折り返して出力する状態をＲＯＡＤＭスイッチ３１の初期状態とすれば、前述した光波長モニタ９２による運用波長の判定は不要となる。
【００４４】
＜形態例２＞
図６に、ＲＯＡＤＭ伝送システムの光伝送装置において、本発明を適用する場合の第２の形態例を示す。図６は、光伝送装置の機能ブロック構成を表している。図６には、図１及び図４と対応する部分に同一符号を付して表している。
【００４５】
本形態例に係る光伝送装置は、図４に示す第１の形態例に係るＲＯＡＤＭスイッチ３１の機能を拡張した構成を有している。図６に示す光伝送装置は、光送受信器を接続する入出力ポート１０３〜１０６だけでなく、他のＲＯＡＤＭスイッチ３２及び３３を接続する入出力ポート１０７〜１１０においても、入力ポート１０７及び１０９から入力される光信号から光波長モニタ９２を用いて特定した非運用中の波長チャネルを取り出せるようにする。
【００４６】
すなわち、図６に示す光伝送装置は、ＲＯＡＤＭスイッチ３１と各入出力ポート１０７、１０８及び１０９、１１０の識別情報に基づいてこれらの光信号をオンオフ変調し、それぞれの出力ポート１０８及び１１０に折り返すようにＲＯＡＤＭスイッチ３１を制御する。このＲＯＡＤＭスイッチ３１の構成を他のＲＯＡＤＭスイッチ３２及び３３に用いることにより、ＲＯＡＤＭスイッチ３１に接続した光送受信器５１及び５４がＲＯＡＤＭスイッチ３１と別のＲＯＡＤＭスイッチ（例えばＲＯＡＤＭスイッチ３２）を介し、ＲＯＡＤＭスイッチ（例えばＲＯＡＤＭスイッチ３２）に接続された光伝送路１３及び１４に接続される場合において、ＲＯＡＤＭスイッチ３１とＲＯＡＤＭスイッチ（例えばＲＯＡＤＭスイッチ３２）との接続を順次検出することが可能となる。
【００４７】
なお、本形態例においても、前述の通り、光波長モニタ９２を用いて非運用波長を判別したが、他のＲＯＡＤＭスイッチへの出力ポート１０８及び１１０にも光波長モニタを設け、光波長モニタ９２の情報と合わせて運用波長を判別してもよい。この場合、他のＲＯＡＤＭスイッチ３２及び３３を経由して運用されている波長を運用波長として非運用波長から除外することができる。
【００４８】
この構成により、光送受信器の接続時に、ただちに接続先のＲＯＡＤＭスイッチとその入出力ポートを識別することができるようになる。その動作は、第１の形態例と同様である。
【００４９】
＜形態例３＞
図７に、ＲＯＡＤＭ伝送システムの光伝送装置において、本発明を適用する場合の第３の形態例を示す。図７は、光伝送装置の機能ブロック構成を表している。図７には、図１、図３及び図４と対応する部分に同一符号を付して表している。
【００５０】
本形態例に係る光伝送装置は、第１及び第２の形態例に係るＲＯＡＤＭスイッチ３１を、図３に示す多対１のＷＳＳ８２と１対多の光カプラ８３で構成されるＲＯＡＤＭスイッチ３１に置換した構成を有している。図７は、本形態例に係るＲＯＡＤＭスイッチ３１の構成例を表している。
【００５１】
前述した多対１のＷＳＳ８２は、ＲＯＡＤＭスイッチ３１の入力ポート１０３及び１０９から入力された光信号の光強度を波長ごとに調整し、出力ポート１０２から上りの光伝送路１１に出力する。また、下りの光伝送路１２からＲＯＡＤＭスイッチ３１の入力ポート１０１に入力された光信号を１対多の光カプラ８３が分岐し、ＲＯＡＤＭスイッチ３１の各出力ポート１０４及び１１０から出力する。
【００５２】
光波長モニタ９２が、ＲＯＡＤＭスイッチ３１の出力ポート１０２から出力される光信号を取り出し、当該光信号の波長成分をモニタし、非運用波長の判別を行う。また、多対１のＷＳＳ８２から出力ポート１０２の間には分岐用光カプラ９３が挿入され、入力ポート１０１と１対多の光カプラ８３の間には結合用光カプラ９４が挿入される。分岐用光カプラ９３において、出力ポート１０２から出力される光信号が分岐される。分岐された光信号は、光可変波長フィルタ９５を通過し、結合用光カプラ９４において入力ポート１０１から入力される光信号と結合される。結合後の光信号は、１対多の光カプラ８３を介して出力ポート１０４及び１１０に折り返される。
【００５３】
光可変波長フィルタ９５は、折り返す光信号が運用波長に干渉しないよう、折り返す光信号の波長成分を非運用波長に限定するために用いられる。多対１のＷＳＳ８２は、入力される全ての光信号の非運用波長チャネルを、ＲＯＡＤＭスイッチ３１並びに入力ポート１０３及び１０９と出力ポート１０４及び１１０から構成される入出力ポート２０２及び２０５の識別情報によりオンオフ変調する。
【００５４】
この構成により、光送受信器の光信号がＲＯＡＤＭスイッチで折り返され、ＲＯＡＤＭスイッチとの接続が直ちに検出される。ただし、本構成においては、下りの光伝送路１２から非運用波長を含む光信号が伝搬する可能性がある。
【００５５】
その対策として、多対１のＷＳＳ８２のオンオフ変調により、光信号に載せる識別情報にノード情報を含める方法がある。この場合、光送受信器の接続検出部は、検出した識別情報から受信した光信号が外部のノードから送信された光信号であるか否かを判定し、外部のノードから送信された光信号であれば、接続検出の結果を無効とし、さらに当該光送受信器からの光信号の送信を一時中断させればよい。
【００５６】
他の対策として、光送受信器が送信する光信号に、当該光送受信器の識別情報を載せる方法もある。この場合、光送受信器の接続検出部がこの識別情報を検出し、受信される光信号が当該光送受信器から送信される光信号でない場合には、接続検出の結果を無効とし、さらに当該光送受信器からの光信号の送信を中断させる。
【００５７】
なお、当該光送受信器の識別情報は高速なデータ変調で送信すれば、光送受信器とＲＯＡＤＭスイッチとの接続関係の識別時間が延びることを避けることができる。
【００５８】
なお、本形態例においては、多対１のＷＳＳ８２と１対多の光カプラ８３は、両方ともＷＳＳであってもよい。また、ＷＳＳと光カプラは逆の配置であっても良い。ただし、ＷＳＳと光カプラが逆の場合、多対１のＷＳＳのオンオフ変調によってノード情報を含む識別情報を光信号に載せても、光送受信器で受信される光信号が外部のノードから送信された光信号か判別できない。そのため、外部のノードから送信された光信号を判別するためには、光送受信器が送信する光信号に当該光送受信器の識別情報を載せる方法を使う必要がある。
【００５９】
ところで、他の全ての実施の形態においても、光送受信器が光送信器から送信する光信号に光送受信器の識別情報を載せ、当該光送受信器の光受信器で受信される光信号が当該光送受信器から送信された光信号であることを検査する方法を用いることができる。また、この方法は、受信される光信号の送信元を識別可能とするため、光送受信器間で入出力ポートを誤接続した場合に、これを検出できるようになり、光送受信器とＲＯＡＤＭスイッチの誤接続の検出をより確かなものにするという効果もある。
【００６０】
＜他の形態例＞
本発明は上述した形態例に限定されるものでなく、様々な変形例が含まれる。例えば、上述した形態例は、本発明を分かりやすく説明するために詳細に説明したものであり、必ずしも説明した全ての構成を備えるものに限定されるものではない。また、ある形態例の一部を他の形態例の構成に置き換えることが可能であり、また、ある形態例の構成に他の形態例の構成を加えることも可能である。また、各形態例の構成の一部について、他の構成を追加、削除又は置換することも可能である。また、上述した各構成、機能、処理部、処理手段等は、それらの一部又は全部を、例えば集積回路その他のハードウェアとして実現しても良い。
【符号の説明】
【００６１】
１…ノード
１１、１３、１５…上りの光伝送路
１２、１４、１６…下りの光伝送路
２１、２２、２３…光伝送路対
３１、３２、３３…ＲＯＡＤＭスイッチ
４１…波長合分波器
４２…波長合波器
４３…波長分波器
５１、５４、５７、５８…光送受信器
５２、５５…光送信器
５３、５６…光受信器
６１、６２…接続検出部
７１…波長合波器
７２…波長分波器
７３…光減衰器
７４…光スイッチ
８１…光折返し部
８２…多対１ＷＳＳ
８３…１対多光カプラ
９１…ＲＯＡＤＭ制御部
９２…光波長モニタ
９３…分岐用光カプラ
９４…結合用光カプラ
９５…光可変波長フィルタ
９６…管理システム
１０１、１０３、１０５、１０７、１０９…入力ポート
１０２、１０４、１０６、１０８、１１０…出力ポート
２０１、２０２、２０３、２０４、２０５、２０６…入出力ポート
【図１】
2013046166.tif 000003
【図２】
2013046166.tif 000004
【図３】
2013046166.tif 000005
【図４】
2013046166.tif 000006
【図５】
2013046166.tif 000007
【図６】
2013046166.tif 000008
【図７】
2013046166.tif 000009